(57)【要約】【課題】利用者が自宅等に居ながらしかも孤立感を感じずに運動を行えるようにし、これにより利用者の運動意欲を高く保持して継続的な運動を可能にする。【解決手段】複数の利用者端末ＵＴ１〜ＵＴｎと、これらの利用者端末ＵＴ１〜ＵＴｎに対し通信ネットワークＮＷを介して接続可能な管理装置ＣＳとを具備する運動支援システムにあって、管理装置ＣＳにより、同一時間帯に運動を実施する予定の利用者の出欠状況を判定して出席リストを作成し、この作成された出席リストを利用者端末ＵＴ１〜ＵＴｎへ送信する。一方、利用者端末ＵＴ１〜ＵＴｎにおいては、管理装置ＣＳから配信される運動コンテンツを再生すると共に、上記管理装置ＣＳから送信された出席リストを受信してディスプレイ３１に表示するようにしたものである。【選択図】      図１
2006323467.tif 000002
【特許請求の範囲】
【請求項１】
各々利用者が使用する複数の利用者端末と、これらの利用者端末に対し通信ネットワークを介して接続可能な管理装置とを具備する運動支援システムであって、
前記管理装置は、
前記複数の利用者のうち、同一時間帯に運動を実施する予定の利用者を選択する手段と、
前記選択された利用者の出欠を判定し、その判定結果をもとに出席状況を表す情報を作成する手段と、
前記作成された出席状況を表す情報を、前記選択された利用者の利用者端末へ送信する手段と
を備え、
前記複数の利用者端末は、
運動コンテンツを取得し、この取得された運動コンテンツを利用者に提示する運動コンテンツ提示手段と、
前記管理装置から送信された出席状況の判定結果を表す情報を受信し、この受信された出席状況の判定結果を表す情報を利用者に提示する出席状況提示手段と
を備えることを特徴とする運動支援システム。
【請求項２】
前記出席状況を表す情報を作成する手段は、
前記選択された利用者の利用者端末に対し、出席の有無を確認するための問い合わせ情報を送信する手段と、
前記問い合わせ情報に対する利用者の回答情報を、問い合わせ先の利用者端末から受信する手段と、
前記受信された回答情報を集計して、前記選択された利用者の出席状況を表す情報を作成する手段と
を備えることを特徴とする請求項１記載の運動支援システム。
【請求項３】
前記管理装置は、前記出欠の判定結果に基づいて、出席すると判定された利用者の利用者端末に対し運動コンテンツを配信する手段をさらに備え、
前記利用者端末の運動コンテンツ提示手段は、
前記管理装置から配信された運動コンテンツを受信する手段と、
前記受信された運動コンテンツを再生する手段と
を備えることを特徴とする請求項１記載の運動支援システム。
【請求項４】
前記管理装置は、前記出欠の判定結果に基づいて、出席すると判定された利用者の利用者端末に対し運動コンテンツの起動指示を送信する手段をさらに備え、
前記利用者端末の運動コンテンツ提示手段は、
前記管理装置から送信される運動コンテンツの起動指示を受信する手段と、
前記受信された起動指示に応じて、記憶媒体から運動コンテンツを読み出して再生する手段と
を備えることを特徴とする請求項１記載の運動支援システム。
【請求項５】
前記管理装置は、出欠の判定結果に基づいて出席すると判定された利用者の利用者端末間に会話通信リンクを設定する手段を、さらに備えることを特徴とする請求項１記載の運動支援システム。
【請求項６】
前記利用者端末は、
前記運動コンテンツが提示されている期間に運動中の利用者を撮像し、この撮像により得られる運動画像データを、同一時間帯に運動を行っている他の利用者の利用者端末へ向け送信する手段と、
前記他の利用者端末から送信される運動画像データを受信し、この受信された他の利用者の運動画像データを利用者に提示する手段と
を、さらに備えることを特徴とする請求項１記載の運動支援システム。
【請求項７】
各々利用者が使用する複数の利用者端末との間で通信ネットワークを介して通信を行うことにより、前記利用者の運動を支援する運動支援管理装置であって、
前記複数の利用者のうち、同一時間帯に運動を実施する予定の利用者を選択する手段と、
前記選択された利用者の出欠を判定し、その判定結果をもとに出席状況を表す情報を作成する手段と、
前記作成された出席状況を表す情報を、前記選択された利用者の利用者端末へ送信する手段と
を具備すること特徴とする運動支援管理装置。
【請求項８】
前記出席状況を表す情報を作成する手段は、
前記選択された利用者の利用者端末に対し、出席の有無を確認するための問い合わせ情報を送信する手段と、
前記問い合わせ情報に対する利用者の回答情報を、問い合わせ先の利用者端末から受信する手段と、
前記受信された回答情報を集計して、前記選択された利用者の出席状況を表す情報を作成する手段と
を備えることを特徴とする請求項７記載の運動支援管理装置。
【請求項９】
前記管理装置は、前記出欠の判定結果に基づいて、出席すると判定された利用者の利用者端末相互間で会話通信を可能にする手段を、さらに備えることを特徴とする請求項７記載の運動支援管理装置。
【請求項１０】
コンピュータ及び通信インタフェースを備え、各々利用者が使用する複数の利用者端末との間で前記通信インタフェースにより通信ネットワークを介して通信を行うことにより前記利用者の運動を支援する運動支援管理装置で使用されるプログラムであって、
前記複数の利用者のうち、同一時間帯に運動を実施する予定の利用者を選択する処理と、
前記選択された利用者の出欠を判定する処理と、
前記出欠の判定結果をもとに、前記選択された利用者の出席状況を表す情報を作成する処理と、
前記作成された出席状況を表す情報を、前記選択された利用者の利用者端末へ前記通信インタフェースにより送信させる処理と
を、前記コンピュータに実行させること特徴とするプログラム。
【発明の詳細な説明】
【技術分野】
【０００１】
この発明は、通信ネットワークを利用して利用者の運動を遠隔的に支援する運動支援システムとその運動支援管理装置及びプログラムに関する。
【背景技術】
【０００２】
高齢者の転倒事故は、主に加齢による筋力の低下など身体機能の衰えが原因で起こる。転倒事故による骨折は様々な障害を招き、そのまま寝たきりにつながるおそれもある。転倒事故を未然に防ぎ、骨折や寝たきりになることを予防するには、衰えていく身体機能を筋力アップによって改善することが重要である。そのため転倒リスクの高い高齢者を検診によりスクリーニングし、ハイリスク者を対象に筋力アップ体操やマシンによる筋力トレーニングを行う健康教室が自治体において提供されている。また日本人の三分の二近くが生活習慣病で亡くなっており、適切な食事指導や運動による生活習慣の改善に注目が集まっている。
【０００３】
このように運動の習慣化は健康な生活を送るために大変重要なものであり、運動を行わせるための種々のシステムが提案されている。例えば、予め生活習慣病の予防対象者の健康を診断して、運動及び食材の両面で指導を行う医療機関と、運動支援を行う会員クラブと、食材を提供する商店とが連携して対象者の健康維持推進を実現するシステムがある（例えば、特許文献１を参照。）。
【０００４】
また、個人の医療・健康情報をデータベースに格納しておき、この医療・健康情報を通信ネットワークを介して健康指導対象者に配信することにより、健康指導対象者に運動、保健、栄養指導を行うシステムもある（例えば、特許文献２を参照。）。
【０００５】
【特許文献１】特開２００３−２０８４７５公報
【０００６】
【特許文献２】特開２００２−３５１９９３公報
【発明の開示】
【発明が解決しようとする課題】
【０００７】
ところが、前者は会員が所持する会員カードに医療機関端末により情報を記憶しておき、上記会員カードから上記情報を読み取って会員のトレーニング情報を生成するものであり、トレーニングのために会員は会員クラブまで出向かなければならないという制約がある。このため、利用者は時間及び場所の制約を受ける。一般に、在宅高齢者の多くが外出をしたがらず、また介護保険の要介護認定者になると外出そのものが大変な労力を要するものとなり、場合によっては送迎車を利用しなければならないケースもある。また生活習慣病のリスクの高い中高年者層は、仕事に追われて多忙な日々を送っている場合が多く、トレーニング先に定期的に出向くことがままならないケースが多い。
【０００８】
一方、後者は個々の利用者に対応した医療・健康情報が提供されるものの、情報が単に配信されるだけであるため、テレビジョン放送やラジオ放送の体操番組を視聴する場合と同様に、利用者は個別に運動をすることになるため孤立感を感じやすく、運動が長続きしにくいという問題があった。
【０００９】
この発明は、上記事情に着目してなされたものであって、その目的とするところは、利用者が自宅等に居ながらしかも孤立感を感じずに運動を行えるようにし、これにより利用者の運動意欲を高く保持して継続的な運動を可能にした運動支援システムとその運動支援装置及びプログラムを提供することにある。
【課題を解決するための手段】
【００１０】
上記目的を達成するためにこの発明は、各々利用者が使用する複数の利用者端末と、これらの利用者端末に対し通信ネットワークを介して接続可能な管理装置とを具備する運動支援システムにあって、管理装置により、上記複数の利用者のうち同一時間帯に運動を実施する予定の利用者を選択する。そして、この選択された利用者の出欠を判定して出席状況を表す情報を作成し、この作成された出席状況を表す情報を上記選択された利用者の利用者端末へ送信する。一方、利用者端末においては、運動コンテンツを取得して利用者に提示すると共に、上記管理装置から送信された出席状況の判定結果を表す情報を受信し、この受信された出席状況の判定結果を表す情報を上記利用者に提示するようにしたものである。
【００１１】
したがってこの発明によれば、利用者が決められた時間帯に運動を行えるようになるので、緩やかな拘束力が発生して運動が習慣づけられるといった利点がある。また、同一時間帯に運動する予定の複数の利用者の出席状況を表す情報が管理装置で作成されて各利用者端末に通知される。このため、利用者は自宅等で運動を行いながら、他の場所で同一時間帯に運動を行う予定の他の利用者の出席状況を確認することが可能となり、仲間としての連帯感を醸成しやすくなり、運動を継続する上での意欲を高めることが可能となる。
【００１２】
またこの発明は以下のような各種具体的な構成を備えることを特徴とする。  
第１の構成は、上記出席状況を表す情報を作成する際に、選択された利用者の利用者端末に対し出席の有無を確認するための問い合わせ情報を送信する。そして、この問い合わせ情報に対する利用者の回答情報を受信し、この受信された回答情報を集計することにより上記選択された利用者の出席状況を表す情報を作成するものである。  
したがって、例えば利用者からの自己申告などに頼る場合に比べ、各利用者の出欠状況を短時間にもれなく確認することが可能となり、これにより効率の良い出欠確認を行うことができる。
【００１３】
第２の構成は、管理装置から、上記出欠の判定結果に基づいて出席すると判定された利用者の利用者端末に対し運動コンテンツを配信し、利用者端末では上記管理装置から配信された運動コンテンツを受信して再生するようにしたものである。  
したがって、利用者端末においては、管理装置から運動コンテンツが自動的に配信され再生されるため、運動コンテンツを取得し再生する際の面倒な操作を不要にすることができ、しかも忘れることなく確実に運動を行うことが可能となる。また、管理装置からは出席者の利用者端末に対してのみ運動コンテンツが配信される。このため、無条件にすべての利用者端末に対し運動コンテンツを配信する場合に比べ、管理装置の処理負荷を軽減すると共に、通信ネットワークのトラフィックの低減を図ることができる。
【００１４】
第３の構成は、管理装置からは、出欠の判定結果に基づいて出席すると判定された利用者の利用者端末に対し運動コンテンツの起動指示を送信する。これに対し利用者端末では、上記管理装置から送信される運動コンテンツの起動指示を受信し、この受信された起動指示に応じて記憶媒体から運動コンテンツを読み出して再生するようにしたものである。
このような構成であれば、管理装置から運動コンテンツを配信する必要がなくなる。一方利用者端末では、管理装置から送信される運動コンテンツの起動指示に応じて記憶媒体の運動コンテンツが自動的に再生される。このため、利用者は運動コンテンツを再生する際の面倒な操作を不要にすることができ、かつ忘れることなく確実に運動を行うことが可能となる。
【００１５】
第４の構成は、管理装置に、出欠の判定結果に基づいて、出席すると判定された利用者の利用者端末間に会話通信リンクを設定する手段を備えるようにしたものである。  
このように構成することで、例えば運動の前後或いは運動期間中に利用者相互間で会話通信を行うことが可能となり、これにより運動仲間相互間で会話を楽しんだり、お互いに励まし合うことができるため、運動を継続して行う意欲をさらに増進させることができる。
【００１６】
第５の構成は、利用者端末において、運動コンテンツが提示されている期間に運動中の利用者を撮像してその運動画像データを同一時間帯に運動を行っている他の利用者の利用者端末へ向け送信すると共に、他の利用者端末から送信される運動画像データを受信して利用者に提示するようにしたものである。  
したがって、利用者は運動を行いながら、同一時間帯に運動を行っている他の利用者の運動画像を見ることが可能となる。このため、仲間としての連帯感を醸成しやすくなり、運動を継続する上での意欲をさらに高めることが可能となる。
【発明の効果】
【００１７】
要するにこの発明では、管理装置において、同一時間帯に運動を実施する予定の利用者の出欠を判定して出席状況を表す情報を作成し、この作成された出席状況を表す情報を上記選択された利用者の利用者端末へ送信して当該情報を上記利用者に提示するようにしている。
【００１８】
したがってこの発明によれば、利用者が自宅等に居ながらしかも孤立感を感じずに運動を行えるようになり、これにより利用者の運動意欲を高く保持して継続的な運動を可能にした運動支援システムとその運動支援装置及びプログラムを提供することができる。
【発明を実施するための最良の形態】
【００１９】
以下、図面を参照してこの発明の実施形態を説明する。  
（第１の実施形態）  
図１は、この発明に係わる運動支援システムの第１の実施形態を示す概略構成図である。この第１の実施形態の運動支援システムは、利用者の自宅等に設置される複数の利用者端末ＵＴ１〜ＵＴｎを、保健センタ、スポーツクラブ又はフィットネスクラブ等に設置される管理装置ＣＳに対し通信ネットワークＮＷを介して接続可能としている。
【００２０】
通信ネットワークＮＷは、インターネットに代表されるＩＰ（Internet Protocol）網と、このＩＰ網にアクセスするための複数のアクセス網とから構成される。アクセス網としては、例えばＤＳＬ（Digital Subscriber Line）や光伝送路を使用する有線加入者網、ＣＡＴＶ（Cable Television）網、無線ＬＡＮ（Local Area Network）網、移動通信網、専用線網が用いられる。
【００２１】
上記管理装置ＣＳは、Ｗｅｂサーバにより構成されるもので、次のような機能を備えている。図２はその構成を示すブロック図である。  
すなわち、管理装置ＣＳはＣＰＵ１１を備える。このＣＰＵ１１には、バス１２を介してプログラムメモリ１３及びデータベース１４が接続され、さらに通信インタフェース（通信Ｉ／Ｆ）１５が接続されている。
【００２２】
通信Ｉ／Ｆ１５は、ＣＰＵ１１の制御の下で、利用者端末ＵＴ１〜ＵＴｎとの間で通信ネットワークＮＷにより規定される通信プロトコルに従って通信を行う。通信プロトコルとしては、例えばＴＣＰ／ＩＰ（Transmission Control Protocol/Internet Protocol）が使用される。
【００２３】
データベース１４は、例えばハードディスクやフラッシュメモリ、ＲＡＭ等を記憶媒体として使用したもので、個人データ記憶エリア１４ａと、スケジュールデータ記憶エリア１４ｂと、運動コンテンツ記憶エリア１４ｃを備えている。  
個人データ記憶エリア１４ａには、利用者端末ＵＴ１〜ＵＴｎから送られた利用者の個人データが記憶される。個人データは、利用者の会員番号と、属性情報と、運動の目的を表すデータとから構成される。属性情報には、住所、氏名、年齢、性別、職業を始め、必要に応じて家族構成、身長、体重、運動履歴、病歴、医療機関による診断内容（高血圧、糖尿等）、嗜好、コメント等が含まれる。運動の目的を表すデータは、生活習慣病予防、介護予防（転倒予防）、ダイエット（ウエイトダウン、部分痩せ（足、腕、ウエスト等））、筋力増強、運動不足解消（ウォーキング、ジョギング、肩こり解消、腰痛解消、全身体操等）、リフレッシュ（全身のリラックス運動、デスクワーク疲労の解消等）等からなる。なお、運動目的がダイエットの場合には、身長、体重に加えて、胸囲、胴囲、腰囲、太股、脹ら脛、上腕部等のサイズを個人データに加えてもよい。さらに、個人データには利用者が属するグループの識別番号も付加される。
【００２４】
スケジュールデータ記憶エリア１４ｂには、各利用者の運動スケジュールを表すデータが記憶される。運動スケジュールを表すデータには、上記個人データをもとに利用者ごとに作成された運動シナリオと、運動時間帯を表す情報が含まれる。運動時間帯を表す情報は、例えば運動コンテンツを配信する曜日と時刻により構成される。時刻については、午前６時からスタート、午前８時からスタート、或いは午後９時からスタート、午後０時からスタートというように配信開始時刻が決められる。曜日については、土曜日は午前の部が２時間遅れてスタートするというように、利用者の生活パターンにあった時刻が選択できる。なお、上記スケジュールは、利用者の運動が習慣となるように日々異なった時間を選択することはできないように設定される。
【００２５】
運動コンテンツ記憶エリア１４ｃには、運動シナリオを構成する複数の運動コンテンツデータが記憶される。運動コンテンツデータは、例えば指導者の映像や文字メッセージを編集した映像データと、指導者の音声や音楽、ＢＧＭを含む音声データとから構成され、各データにはメタ情報が付加されている。メタ情報は、その属性（ストレッチ運動、有酸素運動、筋力トレーニングすなわちレジスタンス運動、コーディネーション運動等）と、運動強度、ストレッチ効果の度合、筋力向上度とその部位、シェイプアップの度合とその部位、リフレッシュの度合、リラックスの度合、楽しさの度合、柔軟度合とその部位、動かす（運動負荷のかかる）身体の部位、どんな目的に適した運動か、どんな人には適さないか等の各種情報を含む。なお、運動コンテンツデータには、背景映像を含めるようにしてもよい。
【００２６】
プログラムメモリ４３には、個人データ管理プログラム１３ａと、スケジュール管理プログラム１３ｂと、出欠情報管理プログラム１３ｃと、配信制御プログラム１３ｄと、会話通信中継制御プログラム１３ｅが記憶されている。  
個人データ管理プログラム１３ａは、通信Ｉ／Ｆ１５により利用者端末ＵＴ１〜ＵＴｎとの間で通信を行うことで利用者の個人データを受信し、受信した個人データを上記個人データ記憶エリア１４ａに記憶する処理を実行する。また、それと共に上記個人データに基づいて利用者をグループ分けし、グループの識別情報を上記個人データに付加する形で個人データ記憶エリア１４ａに記憶する。上記グループ分けの目的は、例えば運動目的が類似するもの同士が同一時間帯に運動を行えるようにするためである。
【００２７】
スケジュール管理プログラム１３ｂは、利用者ごとに、上記個人データ記憶エリア１４ａに記憶された個人データをもとに最適な運動シナリオを作成する。またそれと共に、上記個人データをもとに利用者ごとに運動を行う上で最適な時間帯を設定する。そして、上記作成された運動シナリオ及び運動時間帯を表す情報を、利用者の識別情報（利用者ＩＤ）に対応付けて上記スケジュールデータ記憶エリア１４ｂに記憶する。
【００２８】
出欠情報管理プログラム１３ｃは、上記スケジュールデータ記憶エリア１４ｂに記憶されているスケジュールデータをもとに同一時間帯に運動を行う利用者端末を選択し、この選択された利用者端末に対し運動の開始に先立ち出欠の問い合わせ情報を送信する。そして、この問い合わせに対する利用者端末からの回答情報を受信して利用者の出欠状況を判定し、この判定結果をもとに利用者の出席リストを作成して、この作成された出席リストを上記各利用者端末へ送信する。
【００２９】
配信制御プログラム１３ｄは、上記出欠情報管理プログラム１３ｃによる出欠状況の判定結果をもとに、出席する利用者の利用者端末を選択し、この選択された利用者端末に対し運動コンテンツを送信する。送信する運動コンテンツは、上記スケジュールデータ記憶エリア１４ｂに記憶された運動シナリオをもとに、運動コンテンツ記憶エリア１４ｃから選択的に読み出される。
【００３０】
会話通信中継制御プログラム１３ｅは、利用者端末相互間で多地点会議通信を可能にするためのもので、上記出欠情報管理プログラム１３ｃによる出欠状況の判定結果をもとに、出席する利用者端末相互間に会話通信リンクを設定する。
【００３１】
一方、利用者端末ＵＴ１〜ＵＴｎは例えばパーソナル・コンピュータからなり、次のような機能を備える。図３はその構成を示すブロック図である。  
すなわち、利用者端末ＵＴ１〜ＵＴｎは、中央処理ユニット（ＣＰＵ：Central Processing Unit）２１を備える。このＣＰＵ２１には、バス２２を介してプログラムメモリ２３及びデータメモリ２４が接続され、さらに通信インタフェース（通信Ｉ／Ｆ）２５、カメラインタフェース（カメラＩ／Ｆ）２６、表示インタフェース（表示Ｉ／Ｆ）２７、音声入出力インタフェース（音声入出力Ｉ／Ｆ）２８及び入力インタフェース（入力Ｉ／Ｆ）２９がそれぞれ接続されている。
【００３２】
通信Ｉ／Ｆ２５は、ＣＰＵ２１の制御の下で、管理装置ＣＳとの間で通信ネットワークＮＷにより規定される通信プロトコルに従って双方向の通信を行う。通信プロトコルとしては、例えばＴＣＰ／ＩＰ（Transmission Control Protocol/Internet Protocol）が使用される。
【００３３】
カメラＩ／Ｆ２６は、ＣＰＵ２１の制御の下で、運動期間中にカメラ３０により撮像された利用者の画像データを取り込む。表示Ｉ／Ｆ２７は、ＣＰＵ２１の制御の下で、受信された運動コンテンツの画像データと、受信された他の利用者の運動画像データと、受信された出欠リストをディスプレイ３１に表示する。なお、上記ディスプレイ３１には利用者自身を撮像した画像データを表示することも可能である。
【００３４】
音声入出力Ｉ／Ｆ２８は、ＣＰＵ２１の制御の下、会話通信時に利用者の送話音声をマイクロホン３３から取り込むと共に、通話相手となる他の利用者端末から送られた受話音声信号をスピーカ３２から出力する。入力ＩＦ２９は、キーボードやマウス等の入力デバイスにおいて入力されたデータの取り込みを行う。
【００３５】
データメモリ２４は、例えばハードディスクやフラッシュメモリ、ＲＡＭ等を記憶媒体として使用したもので、作業用の記憶エリアに加え、運動コンテンツ記憶エリア２４ａを備えている。運動コンテンツ記憶エリア２４ａには、管理装置ＣＳから配信された運動コンテンツが記憶される。
【００３６】
プログラムメモリ２３には、この発明を実施するためのアプリケーション・プログラムとして、個人データ設定制御プログラム２３ａと、会話通信制御プログラム２３ｂと、出席情報提示制御プログラム２３ｃと、運動コンテンツ提示制御プログラム２３ｄが格納される。これらのプログラムのうち会話通信制御プログラム５９ｂ、出席情報提示制御プログラム５９ｃ及び運動コンテンツ起動制御プログラム５９ｄは、会員登録後に管理装置ＣＳからダウンロードされる。なお、上記各アプリケーション・プログラムをＣＤ−ＲＯＭやメモリカード等の外部記録媒体から読み込んでセットアップすることも勿論可能である。
【００３７】
個人データ設定制御プログラム２３ａは、利用者による個人データ及び運動目的を表すデータの入力を受け付け、この入力された個人データ及び運動目的を表すデータを通信Ｉ／Ｆ２５から管理装置ＣＳに向け送信する処理を実行する。例えば、利用者の操作に応じて管理装置ＣＳによりＷｅｂ上に開示されるホームページに対しアクセスし、このホームページの入力画面において利用者が入力した個人データ及び運動目的を表すデータを受け付ける。なお、上記ホームページに対しアクセスするには事前の会員登録が必要であり、この会員登録により管理装置ＣＳから付与される利用者ＩＤとパスワードを入力することにより上記ホームページのアクセスが可能となる。
【００３８】
会話通信制御プログラム２３ｂは、運動開始前及び運動終了後において、同一時間帯に運動を行う他の利用者端末との間で、上記マイクロホン３３及びスピーカ３２を使用して音声通信を行うための処理を実行する。  
出席情報提示制御プログラム２３ｃは、管理装置ＣＳから送られた出席リストを受信する。そして、この受信された出席リストを上記ディスプレイ３１に表示させるための処理を実行する。
【００３９】
運動コンテンツ提示制御プログラム２３ｄは、管理装置ＣＳから配信された運動コンテンツを通信Ｉ／Ｆ２５により受信して上記運動コンテンツ記憶エリア２４ａに記憶する。またそれと共に、上記運動コンテンツを構成する画像データ及び文字データを表示Ｉ／Ｆ２７によりディスプレイ３１に表示させると共に、指導音声やＢＧＭ等の音声データをスピーカ３２から拡声出力させる。
【００４０】
なお、上記ディスプレイ３１は、利用者端末ＵＴ１〜ＵＴｎに付属するディスプレイでもよいが、別に設けられたテレビジョン受像機やビデオプロジェクタを用いてもよい。またヨガやストレッチ体操を行う際には、利用者が横たわったり屈曲ポーズ等を維持しながらディスプレイを見る必要があるため、ヘッド・マウント・ディスプレイ装置が好適である。その他、ディスプレイ装置の種類や形状、大きさは特に限定されない。
【００４１】
次に、以上のように構成された運動支援システムの動作を説明する。図４及び図５は管理装置ＣＳ及び利用者端末ＵＴ１〜ＵＴｎの制御手順と制御内容を示すフローチャートである。  
管理装置ＣＳは、運動支援サービスの提供を案内するホームページをステップＳ１によりＷｅｂ上に公開する。このホームページには、会員募集要項や施設の説明、提供可能な運動の内容等が提示される。例えば保健センタ、スポーツクラブ又はフィットネスクラブが管理装置ＣＳを運営する場合には、利用者が希望すると予想される様々な目的を想定して複数種類の運動シナリオが予め用意される。
【００４２】
想定される運動シナリオとしては、「ダイエット体操」、「生活習慣病予防体操」、「介護予防体操」、「健康維持運動」、「運動不足解消体操」、「ヨガ」等がある。例えば「ダイエット体操」のシナリオを例に挙げると、「ダイエット体操」にも「足痩せ体操」、「バストアップ体操」、及び「脂肪燃焼体操」等の様々な種類があり、シナリオごとに当該シナリオを構成するために必要な運動コンテンツデータが運動コンテンツ記憶エリア１４ｃに予め記憶される。
【００４３】
一方、上記運動支援サービスを利用する場合に利用者が、自身の利用者端末（例えばＵＴ１）においてＷｅｂ上の該当するホームページを開くための操作を行ったとする。そうすると利用者端末ＵＴ１のＣＰＵ２１は、ステップＳ２においてブラウザ機能を起動して上記ホームページに対しアクセスし、その会員登録画面の表示データをダウンロードしてディスプレイ３１に表示する。この状態で、利用者が会員登録画面において会員登録のための入力操作を行ったとする。そうすると、ＣＰＵ２１はステップＳ３において入力された利用者の氏名、住所、年齢、性別等の個人データと、運動目的を表すデータをそれぞれ取り込み、これらのデータをステップＳ４により通信Ｉ／Ｆ２５から管理装置ＣＳへ送信する。
【００４４】
これに対し管理装置ＣＳは、ステップＳ５により上記利用者端末ＵＴ１から会員登録のための入力データを受信すると、ステップＳ６により登録要求元の利用者に対して利用者ＩＤとパスワードを発行し、この発行した利用者ＩＤとパスワードをステップＳ７により利用者端末ＵＴ１へ送信する。そして、上記受信された個人データ及び運動目的データを、ステップＳ８によりデータベース１４内の個人データ記憶エリア１４ａに記憶する。利用者端末ＵＴ１は、上記管理装置ＣＳから送られた利用者ＩＤとパスワードをステップＳ１０により受信して記憶する。
【００４５】
また、上記利用者ＩＤとパスワードの送信によって個人データの登録受け付けが完了すると、管理装置ＣＳは続いてステップＳ９において、利用者がこのシステムが提供する運動支援サービスを利用するために必要なプログラムを上記利用者端末ＵＴ１へダウンロードする。ダウンロードされるプログラムには、会話通信制御プログラム２３ｂと、出席情報提示制御プログラム２３ｃと、運動コンテンツ提示制御プログラム２３ｄとがある。これに対し利用者端末ＵＴ１は、ステップＳ１１において上記管理装置ＣＳからダウンロードされる各プログラムを受信し、この受信された各プログラムをプログラムメモリ２３に格納する。
【００４６】
なお、このシステムの運動支援サービスを利用しようとする他の利用者端末ＵＴ２〜ＵＴｎと管理装置ＣＳとの間でも、上記利用者端末ＵＴ１の場合と同様の手順に従い、利用者の個人データの登録処理と、このシステムが提供する運動支援サービスを利用するために必要なプログラムのダウンロード処理が行われる。
【００４７】
さて、そうして利用者の会員登録がなされると、管理装置ＣＳは個人データ記憶エリア１４ａに記憶された各利用者の個人データ及び運動目的を表すデータを分析し、利用者ごとの運動スケジュールを作成する。例えば、同一の時間帯を希望しかつ共通の運動目的を持っている利用者が複数存在する場合には、これらの利用者によりグループを構成してこのグループに対し共通のスケジュールを作成する。また、共通の運動目的を持っていなくても年齢や嗜好が近い利用者が複数存在する場合にも、これらの利用者によりグループを構成してこのグループに対し共通のスケジュールを作成する。
【００４８】
なお、同一の時間帯を希望している利用者が無作為に複数選択してグループを構成してもよく、また特にグループを構成しなくてもよい。さらに、同一のグループに属する複数の利用者の運動目的や年齢、体力等が異なる場合には、これらの利用者に対し異なるスケジュールを作成することも可能である。
【００４９】
上記作成されたスケジュールデータは、管理装置ＣＳのスケジュールデータ記憶エリア１４ｂに記憶される。またそれと共に上記スケジュールデータは、管理装置ＣＳから各利用者端末ＵＴ１〜ＵＴｎへ送信され、利用者端末ＵＴ１〜ＵＴｎ内のデータメモリ２４に保存される。
【００５０】
上記スケジュールが設定されると、管理装置ＣＳと利用者端末ＵＴ１〜ＵＴｎとの間では以後次のように運動支援制御が行われる。  
すなわち、例えば利用者端末ＵＴ１において運動準備時刻（例えば運動開始の１０分前）になったとする。そうすると利用者端末ＵＴ１は、図５に示すようにステップＳ１３において上記運動準備時刻になったことを検出し、利用者に運動の開始を知らせるための音声ガイダンスをスピーカ３２から出力する。例えば、「運動開始時間が近づいています。準備はいいですか？」のような音声ガイダンスを出力する。
【００５１】
一方、それと並行して管理装置ＣＳは、ステップＳ１７からステップＳ２８に移行して出席情報管理プログラム１３ｃを実行し、出欠状況を確認するための処理を実行する。例えば、先ず利用者端末ＵＴ１に対し出欠の問い合わせ情報を送信する。利用者端末ＵＴ１は、上記出欠の問い合わせ情報が到来すると、ステップＳ１４において、この問い合わせ情報をディスプレイ３１に表示する。例えば、「あと１０分で体操が開始されます。今日は参加されますか？」のような出欠入力画面を表示する。この出欠入力画面には、選択肢として例えば「ＹＥＳ」、「ＮＯ」又は「○」、「×」が表示される。
【００５２】
この状態で、利用者が上記選択肢のいずれかを選択すると、この選択された選択肢が出欠の回答情報として管理装置ＣＳへ返送される。管理装置ＣＳは、上記利用者端末ＵＴ１から回答情報が返送されると、ステップＳ２８により、この回答情報をもとに当該利用者の出欠状況を判定し、さらにこの出欠状況の判定結果に基づいて利用者の出席リストを作成する。  
同様に、上記利用者端末ＵＴ１と同一グループに属する他の利用者端末（例えばＵＴ２〜ＵＴ４）についても、出欠状況の確認が行われる。
【００５３】
そうして一つのグループに属するすべての携帯端末ＭＴ１〜ＭＴ４についての利用者の出席リストが作成されると、管理装置ＣＳはこの作成された出席リストをステップＳ２９によりデータメモリ１４内の個人データ記憶エリア１４ａに保存すると共に、利用者端末ＵＴ１〜ＵＴ４へ送信する。利用者端末ＵＴ１〜ＵＴ４は、ステップＳ１４において上記出席リストを受信し、この出席リストをディスプレイ３１に表示する。かくして、利用者は同一グループに属する他の利用者の出席状況を確認することができる。
【００５４】
なお、出席リストとしては、利用者の名前と出欠の有無とを対応付けた一覧表が一般的であるが、出席者を表す情報として予め個人データに登録した利用者の顔画像を表示してもよく、また各利用者が予め設定したアイコンやアバターを表示するようにしてもよい。なお、アバターを使用する場合には、デスクトップキャラクタのように画面上を移動するアニメーションとして表示することも可能である。
【００５５】
続いて、利用者端末ＵＴ１において利用者が「開始ボタン」を押下すると、利用者端末ＵＴ１はステップＳ１５により会話通信制御プログラム２３ｂを実行し、通信Ｉ／Ｆ２５及び音声入出力Ｉ／Ｆ２８を動作状態に設定して音声通話モードとなる。同様に、運動に出席する他の利用者端末（例えばＵＴ２，ＵＴ３）においても、利用者が「開始ボタン」を押下すると、Ｓ２６において会話通信制御プログラム２３ｂが実行されて音声通話モードとなる。これに対し管理装置ＣＳは、ステップＳ１８に移行して会話通信中継制御プログラム１３ｅを実行し、上記出欠状況の判定において出席と判定された利用者端末ＵＴ１〜ＵＴ３相互間に会議通信リンクを設定する。したがって、以後利用者端末ＵＴ１〜ＵＴ３間では、利用者の音声通話信号が管理装置ＣＳで中継されて双方向転送されることになる。このため、利用者相互間では運動前の挨拶や世間話などを行うことが可能となる。
【００５６】
次に、利用者端末ＵＴ１〜ＵＴ３において運動開始時刻になったことがステップＳ１６で検出されると、利用者端末ＵＴ１〜ＵＴ３は運動コンテンツ提示制御プログラム２３ｄを実行する。また、同時に管理装置ＣＳはステップＳ１９により配信制御プログラム１３ｄを実行し、上記利用者端末ＵＴ１〜ＵＴ３の各利用者に対し予め作成しておいた運動シナリオを読み出し、この運動シナリオを構成する運動コンテンツを運動コンテンツ記憶エリア１４ｃから読み出して、上記利用者端末ＵＴ１〜ＵＴ３へ送信する。
【００５７】
利用者端末ＵＴ１〜ＵＴ３は、上記運動コンテンツを受信し保存すると、この受信された運動コンテンツを再生する。かくして、運動コンテンツを構成する指導者の画像データ及び文字データがディスプレイ３１に表示され、また指導音声やＢＧＭ等の音声データがスピーカ３２から出力される。したがって、利用者は上記表示される画像データ及び文字データを見、さらに音声データを聞きながら運動を行うことができる。
【００５８】
また、利用者端末ＵＴ１〜ＵＴ３では、上記利用者の運動中に利用者の運動の様子がカメラ３０により撮像される。そして、この利用者の運動画像データは通信Ｉ／Ｆ２５から送信され、管理装置ＣＳにより中継されて他の利用者端末へ転送され、ディスプレイ３１に表示される。このとき、上記他の利用者の運動画像データは運動コンテンツの画像データ及び文字データと共に同一画面上に一覧表示される。したがって、利用者は運動コンテンツの画像データ及び文字データを見ながら、同時に他の利用者の運動の様子も確認することができる。
【００５９】
上記運動コンテンツの再生が終了するか又は運動中に利用者が「終了ボタン」を押下すると、利用者端末ＵＴ１〜ＵＴ３はステップＳ２１により運動コンテンツの再生処理を終了する。この運動コンテンツの再生処理が終了すると、利用者端末ＵＴ１〜ＵＴ３はステップＳ２２，Ｓ２７により会話通信制御プログラム２３ｂを再度実行し、音声通話モードとなる。また管理装置ＣＳは、ステップＳ２３において会話通信中継制御プログラム１３ｅを実行し、利用者端末ＵＴ１〜ＵＴ３相互間に会議通信リンクを設定する。したがって、以後利用者端末ＵＴ１〜ＵＴ３間では、利用者の音声通話信号が管理装置ＣＳで中継されて双方向転送されることになり、これにより利用者相互間で運動後の感想や世間話等を行うことが可能となる。  
そして、利用者が「ではまた明日」等の別れの挨拶を交わしたのち「終了ボタン」を押下すると、利用者端末ＵＴ１〜ＵＴ３はステップＳ２４からステップＳ２５に移行して運動支援を受けるための処理を終了する。
【００６０】
以上述べたように第１の実施形態では、複数の利用者端末ＵＴ１〜ＵＴｎと、これらの利用者端末ＵＴ１〜ＵＴｎに対し通信ネットワークＮＷを介して接続可能な管理装置ＣＳとを具備する運動支援システムにあって、管理装置ＣＳにより、同一時間帯に運動を実施する予定の利用者の出欠状況を判定して出席リストを作成し、この作成された出席リストを利用者端末ＵＴ１〜ＵＴｎへ送信する。一方、利用者端末ＵＴ１〜ＵＴｎにおいては、管理装置ＣＳから配信される運動コンテンツを再生すると共に、上記管理装置ＣＳから送信された出席リストを受信してディスプレイ３１に表示するようにしている。
【００６１】
したがって、利用者は自宅等で運動を行いながら、他の場所で同一時間帯に運動を行う予定の他の利用者の出席状況を確認することが可能となり、これにより仲間としての連帯感を醸成しやすくなり、運動を継続する上での意欲を高めることが可能となる。
【００６２】
また、出欠リストを作成する際に、管理装置ＣＳから利用者端末ＵＴ１〜ＵＴｎに対し出欠の問い合わせ情報を送信し、この問い合わせ情報に対する利用者の回答情報をもとに出欠状況を判定して出席リストを作成するようにしている。このため、例えば利用者からの自己申告などに頼る場合に比べ、各利用者の出欠状況を短時間にもれなく確認することが可能となり、これにより効率の良い出欠確認を行うことができる。
【００６３】
さらに管理装置ＣＳから、上記出欠状況の判定結果に基づいて出席すると判定された利用者端末ＵＴ１〜ＵＴ３に対し運動コンテンツを配信し、利用者端末ＵＴ１〜ＵＴ３では上記管理装置ＣＳから配信された運動コンテンツを受信して再生するようにしている。
したがって、利用者端末ＵＴ１〜ＵＴ３においては、管理装置ＣＳから運動コンテンツが自動的に配信され再生されるため、運動コンテンツを取得し再生する際の面倒な操作を不要にすることができ、しかも忘れることなく確実に運動を行うことが可能となる。また、管理装置ＣＳからは出席者の利用者端末ＵＴ１〜ＵＴ３に対してのみ運動コンテンツが配信されため、無条件にすべての利用者端末ＵＴ１〜ＵＴ４に対し運動コンテンツを配信する場合に比べ、管理装置ＣＳの処理負荷を軽減すると共に、通信ネットワークＮＷのトラフィックを低減することができる。
【００６４】
さらに管理装置ＣＳにおいて、運動開始前及び終了後に、出欠状況の判定結果に応じて出席する利用者の利用者端末間に会議通信リンクを設定するようにしている。このため、運動の前後に利用者相互間で会話通信を行うことが可能となり、これにより利用者相互間で運動前後の挨拶や世間話、近況報告、感想などを交わすことができ、運動の継続に対する意欲を高めることができる。
【００６５】
さらに、同一時間帯に運動を行っている利用者の利用者端末ＵＴ１〜ＵＴｎ相互間で、運動中の利用者の運動画像データを伝送してディスプレイ３１に表示するようにしている。このため、利用者は運動を行いながら、同一時間帯に運動を行っている他の利用者の運動の様子を確認することが可能となる。このため、仲間としての連帯感を醸成しやすくなり、運動を継続する上での意欲をさらに高めることが可能となる。
【００６６】
（第２の実施形態）  
図６は、この発明に係わる運動支援システムの第２の実施形態を示す概略構成図である。なお、同図において前記図１と同一部分には同一符号を付して詳しい説明は省略する。この第２の実施形態の運動支援システムは、利用者端末として携帯端末ＭＴ１〜ＭＴｎを使用する。そして、この携帯端末ＭＴ１〜ＭＴｎを通信ネットワークＮＷを介して管理装置ＣＳに接続可能とすると共に、簡易無線通信ネットワークを介してメディアプレーヤＭＰ１〜ＭＰｎに接続可能としたものである。
【００６７】
上記通信ネットワークＮＷは移動通信ネットワークを含んでおり、上記携帯端末ＭＴ１〜ＭＴｎは移動通信ネットワークの基地局ＢＳ１〜ＢＳｍに接続される。簡易無線通信ネットワークとしては、例えばＢＴ（BlueTooth）（登録商標）等の近距離データ通信方式、或いは無線ＬＡＮ（Local Area Network）が使用されるが、他に赤外線通信方式を使用することも可能である。
【００６８】
メディアプレーヤＭＰ１〜ＭＰｎは、例えば磁気ディスクや光ディスク等の記録媒体ＤＫ１〜ＤＫｎに記録された運動コンテンツを再生するもので、上記簡易無線通信ネットワークに接続するための通信回路をさらに備えている。そして、この通信回路により、上記携帯端末ＭＴ１〜ＭＴｎとの間で上記運動コンテンツの再生動作を制御のための制御信号の授受を行う。なお、メディアプレーヤＭＰ１〜ＭＰｎにはテレビジョンモニタ装置（図示せず）が接続され、メディアプレーヤＭＰ１〜ＭＰｎで再生された運動コンテンツの画像データ及び音声データは上記テレビジョンモニタ装置に供給されて表示及び拡声出力される。
【００６９】
ところで、上記携帯端末ＭＴ１〜ＭＴｎは例えば携帯電話機からなり、次のように構成される。図７はその構成を示すブロック図である。  
すなわち、携帯端末ＭＴ１〜ＭＴｎは、移動通信用のアンテナ５１及び通信回路５２を備える。このアンテナ５１及び通信回路５２は、移動通信用の基地局ＢＳ１〜ＢＳｍとの間で無線通信を行うために使用される。例えば、音声通話時には、上記通信回路５２により受信復調された受話音声データが制御部５５で復号されたのち音声入出力インタフェース（音声入出力Ｉ／Ｆ）５６に入力される。そして、この音声入出力Ｉ／Ｆ５６によりアナログ信号に変換されさらに増幅されたのち、内蔵スピーカ５７から受話音声として拡声出力される。
【００７０】
これに対し内蔵マイクロホン５８に入力された送話音声は、音声入出力Ｉ／Ｆ５６でディジタル信号に変換されたのち制御部５５に入力され、この制御部５５で符号化されることにより送話音声データとなる。通信回路５２では上記送話音声データにより無線信号が変調され、この変調信号が増幅されてアンテナ５１から送信される。なお、上記音声入出力Ｉ／Ｆ５６にヘッドホンユニット６３が接続されているときには、上記内蔵スピーカ５７及び内蔵マイクロホン５８に代わって、上記ヘッドホンユニット６３により音声信号の入出力が行われる。
【００７１】
また、携帯端末ＭＴ１〜ＭＴｎは、簡易通信用のアンテナ５３及び通信回路５４を備えている。この簡易通信用のアンテナ５３及び通信回路５４は、メディアプレーヤＭＰ１〜ＭＰｎに対し起動制御信号を送信するために使用される。無線通信方式としては、先に述べたように例えばＢＴ（BlueTooth）（登録商標）等の近距離データ通信方式、又は無線ＬＡＮの通信方式が使用される。なお、他に赤外線通信方式を使用することも可能である。
【００７２】
さらに、携帯端末ＭＴ１〜ＭＴｎは、記憶部５９と、入出力インタフェース（入出力Ｉ／Ｆ）６０と、カメラインタフェース（カメラＩ／Ｆ）６４とを備えている。入出力Ｉ／Ｆ６０には、ダイヤルキーパッド等の入力部６１と、液晶ディスプレイ等の表示部６２が接続されている。カメラＩ／Ｆ６４は、カメラ６５により撮像された利用者の画像データを取り込む。
【００７３】
記憶部５９は、例えばＥＥＰＲＯＭ、ハードディスク或いはメモリカードからなり、この記憶部５９には携帯端末としての既存のプログラム及びデータに加え、この発明を実施するために必要なアプリケーション・プログラムが格納される。図８はその構成を示すブロック図である。
【００７４】
すなわち、記憶部５９には、個人データ設定制御プログラム５９ａと、会話通信制御プログラム５９ｂと、出席情報提示制御プログラム５９ｃと、運動コンテンツ起動制御プログラム５９ｄが格納される。これらのプログラムのうち会話通信制御プログラム５９ｂ、出席情報提示制御プログラム５９ｃ及び運動コンテンツ起動制御プログラム５９ｄは、会員登録後に管理装置ＣＳからダウンロードされる。なお、上記各アプリケーション・プログラムをメモリカード等の外部記録媒体から読み込んでセットアップすることも勿論可能である。
【００７５】
個人データ設定制御プログラム５９ａは、利用者による個人データ及び運動目的を表すデータの入力を受け付け、この入力された個人データ及び運動目的を表すデータを通信回路５２から管理装置ＣＳに向け送信する処理を実行する。
会話通信制御プログラム５９ｂは、運動開始前及び運動終了後において、同一時間帯に運動を行う他の利用者の携帯端末との間で、上記マイクロホン５８及びスピーカ５７、又はヘッドホンユニット６３を使用して音声通信を行うための処理を実行する。また、上記マイクロホン５８及びスピーカ５７等の音声通信手段に加え、カメラ６４及び表示部６２を使用することによりテレビジョン電話通信を行うことも可能である。
【００７６】
出席情報提示制御プログラム５９ｃは、運動開始前に管理装置ＣＳから送られた出席リストを受信する。そして、この受信された出席リストを表示部６２に表示させるための処理を実行する。
運動コンテンツ起動制御プログラム５９ｄは、運動開始時刻になると、運動コンテンツの起動指示を簡易通信回路５４からメディアプレーヤＭＰ１〜ＭＰｎへ送信する。そして、これによりメディアプレーヤＭＰ１〜ＭＰｎにおいて記録媒体ＤＫ１〜ＤＫｎに記録された運動コンテンツの再生を行わせる。なお、管理装置ＣＳから運動コンテンツの起動要求を受信し、この要求に応じてメディアプレーヤＭＰ１〜ＭＰｎを起動制御するようにしてもよい。
【００７７】
次に、以上のように構成された運動支援システムの動作を説明する。図９及び図１０は管理装置ＣＳ、携帯端末ＭＴ１〜ＭＴｎ及びメディアプレーヤＭＰ１〜ＭＰｎの制御手順と制御内容を示すフローチャートである。  
なお、会員登録処理手順及びアプリケーション・プログラムのダウンロード処理手順については、前記第１の実施形態と同一のため、図９に図４と同一符号を付すことで説明は省略する。
【００７８】
例えば、携帯端末ＭＴ１〜ＭＴ４の利用者に運動を行わせるための準備時刻（例えば運動開始の１０分前）になったとする。そうすると管理装置ＣＳは、ステップＳ４３からステップＳ４４に移行して、ここで利用者に運動の準備を促すガイダンスメッセージを作成し、この作成されたガイダンスメッセージを該当する携帯端末ＭＴ１〜ＭＴ４へ送信する。
【００７９】
これに対し携帯端末ＭＴ１〜ＭＴ４は、自端末の運動準備時刻になったことをステップＳ４２で検出すると、上記管理装置ＣＳから送信されるガイダンスメッセージをステップＳ４５により受信して利用者に報知する。報知手段としては、通常の電話着信及びメール着信とは異なる報知モードが使用され、さらに表示部６２に上記ガイダンスメッセージを表示する。
【００８０】
携帯端末ＭＴ１〜ＭＴ４は、上記ガイダンスメッセージによる報知後に、ステップＳ５８により出欠情報提示制御プログラム５９ｃを実行して、出欠状況を確認するための問い合わせ情報を表示部６２に表示する。なお、この表示の代わり又は表示と並行して、出欠状況を確認するための音声メッセージをスピーカ５７から出力するようにしてもよい。この状態で、利用者が“出”と“欠”のいずれかを選択入力すると、この選択された選択肢が出欠の回答情報として管理装置ＣＳへ送られる。
【００８１】
管理装置ＣＳは、上記携帯端末ＭＴ１〜ＭＴ４から回答情報が送られると、ステップＳ５９により、この回答情報をもとに当該利用者の出欠状況を判定する。そして、この出欠状況の判定結果に基づいて利用者の出席リストを作成し、この作成された出席リストを保存する。
【００８２】
続いて、携帯端末ＭＴ１において利用者が開始操作を行うと、携帯端末ＭＴ１はステップＳ１５により会話通信制御プログラム２３ｂを実行し、通信回路５２及び音声入出力Ｉ／Ｆ５６を動作状態に設定して音声通話モードとなる。同様に、運動に出席する他の携帯端末（例えばＭＴ２，ＭＴ３）においても、利用者が開始操作を行うと、会話通信制御プログラム２３ｂが実行されて音声通話モードとなる。これに対し管理装置ＣＳは、ステップＳ４６に移行して会話通信中継制御プログラム１３ｅを実行する。そして、上記出欠状況の判定において出席と判定された携帯端末ＭＴ１〜ＭＴ３相互間に会議通信リンクを設定する。
【００８３】
したがって、以後携帯端末ＭＴ１〜ＭＴ３間では、利用者の音声通話信号が管理装置ＣＳで中継されて双方向転送されることになり、これにより利用者相互間で運動前の挨拶や世間話などを行うことが可能となる。なお、このときカメラ６４及び表示部６２を使用することにより、携帯端末ＭＴ１〜ＭＴ３間でテレビジョン電話通信を行うことも可能である。
【００８４】
次に、携帯端末ＭＴ１〜ＭＴ３において運動開始時刻になったことがステップＳ４８で検出されると、携帯端末ＭＴ１〜ＭＴ３はステップＳ４９により運動コンテンツ起動制御プログラム５９ｄを実行する。そして、対応するメディアプレーヤＭＰ１〜ＭＰ３に対し簡易通信回路５４から運動コンテンツの起動指示を送信する。これに対しメディアプレーヤＭＰ１〜ＭＰ３は、上記起動指示を受信するとステップＳ５０により再生動作モードとなり、記録媒体ＤＫ１〜ＤＫ３に記録された運動コンテンツを再生する。
【００８５】
かくして、運動コンテンツを構成する指導者の画像データ及び文字データが図示しないテレビジョンモニタ装置に表示され、また指導音声やＢＧＭ等の音声データが当該テレビジョンモニタ装置のスピーカから拡声出力される。したがって、利用者は上記表示される画像データ及び文字データを見、さらに音声データを聞きながら運動を行うことができる。なお、上記メディアプレーヤＭＰ１〜ＭＰ３における運動コンテンツの再生動作は、ステップＳ５１で再生終了が検出されるか又は運動中に利用者が携帯端末ＭＴ１〜ＭＴ３において停止操作を行うと停止される。
【００８６】
一方、管理装置ＣＳは、上記携帯端末ＭＴ１〜ＭＴ３において運動前の会話が開始されると、先に作成し保存しておいた出席者リストをステップＳ５２により携帯端末ＭＴ１〜ＭＴ３へ送信する。携帯端末ＭＴ１〜ＭＴ３は、ステップＳ５９において上記出席リストを受信し、この出席リストを表示部６２に表示する。かくして、利用者は同一グループに属する他の利用者の出席状況を確認することができる。
【００８７】
上記運動コンテンツの再生が終了するか又は運動中に利用者が終了操作を行うと、携帯端末ＭＴ１〜ＭＴ３はステップＳ５４により会話通信制御プログラム５９ｂを再度実行し、音声通話モードとなる。またこのとき管理装置ＣＳは、ステップＳ５５において会話通信中継制御プログラム１３ｅを実行して、携帯端末ＭＴ１〜ＭＴ３相互間に会議通信リンクを設定する。したがって、携帯端末ＭＴ１〜ＭＴ３間では再び会話通信が可能となり、これにより利用者相互間で運動後の感想を述べ合ったり、世間話に興じることが可能となる。そして、利用者が「ではまた明日」等の別れの挨拶を交わしたのち終了操作を行うと、携帯端末ＭＴ１〜ＭＴ３はステップＳ５６からステップＳ５７に移行して会話通信の制御処理を終了する。
【００８８】
以上述べたように第２の実施形態では、利用者端末として携帯端末ＭＴ１〜ＭＴｎを使用し、運動の開始時刻になると管理装置ＣＳから携帯端末ＭＴ１〜ＭＴｎにガイダンスメッセージを送信して利用者に運動の開始を促すと共に、携帯端末ＭＴ１〜ＭＴｎからメディアプレーヤＭＰ１〜ＭＰｎに対し起動指示を送信して運動コンテンツを再生させるようにしている。したがって、利用者は忘れることなく運動を開始することができる。
【００８９】
また、運動の前後の期間において、携帯端末ＭＴ１〜ＭＴｎ相互間を管理装置ＣＳを介して会議通信リンクにより接続するようにしているので、同一時間帯に運動を行う複数の利用者相互間で会話通信を行うことが可能となり、これにより利用者間の連帯感を深めて運動意欲を向上させることができる。
【００９０】
さらに、管理装置ＣＳにより利用者の出欠リストを作成し、この出欠リストを携帯端末に送信して表示するようにしている。このため、利用者は自宅等で運動を行いながら、他の場所で同一時間帯に運動を行う予定の他の利用者の出席状況を確認することが可能となり、これにより仲間としての連帯感をさらに醸成しやすくなり、運動を継続する上での意欲を高めることが可能となる。
【００９１】
なお、この発明は上記各実施形態に限定されるものではない。例えば、前記実施形態では利用者端末ＵＴ１〜ＵＴｎ間における会話通信として音声通信を行う場合を例にとって説明したが、音声と画像とを使用していわゆるテレビジョン電話通信を行うようにしてもよい。
【００９２】
また前記第１の実施形態では、上記会話通信を管理装置ＣＳが備える多地点会議通信制御機能を用いて実現したが、多地点会議通信制御機能を有するサーバ装置を管理装置ＣＳとは別に設け、この多地点会議通信サーバ装置により利用者端末相互間での会話通信を実現するようにしてもよい。
【００９３】
さらに前記第１の実施形態では、利用者の出欠状況を確認する際に、管理装置ＣＳから利用者端末ＵＴ１〜ＵＴｎに対し出欠の確認のための問い合わせ情報を送信し、この問い合わせ情報に対する利用者の回答情報を利用者端末ＵＴ１〜ＵＴｎから管理装置ＣＳへ返送するようにした。しかし、利用者端末ＵＴ１〜ＵＴｎにおいて運動準備時刻になった時点でその旨のガイダンス情報を出力したのち、予め記憶されている出欠入力画面を表示し、この入力画面において利用者が選択した選択肢を回答情報として管理装置ＣＳへ送信するようにしてもよい。このようにすると、管理装置ＣＳから利用者端末ＵＴ１〜ＵＴｎへ出欠の問い合わせ情報を送信する必要がなくなる。
【００９４】
さらに、管理装置ＣＳにおいて出欠状況の判定結果をもとに、出席した利用者に対してポイントを加算し、このポイントの累積値を景品等と交換できるようにしてもよい。景品としては、例えばスポーツタオルやバッグ、スポーツウェア、シューズ、サプリメントが考えられる。なお、景品の一部としてマイレージポイント等への変換も含まれる。
【００９５】
さらに前記第２の実施形態では、運動コンテンツの再生動作をメディアプレーヤＭＰ１〜ＭＰｎにおいて行う場合を例にとって説明したが、運動コンテンツをメモリカードに記憶しておき、このメモリカードを携帯端末ＭＴ１〜ＭＴｎに装着することにより運動コンテンツを携帯端末ＭＴ１〜ＭＴｎにおいて再生するようにしてもよい。この場合、運動コンテンツの映像データ及び文字データを携帯端末の表示部６２に表示しても、運動中の利用者が見ることは難しいので、音声データのみをスピーカ５７又はヘッドホンユニット６３から出力すればよい。
【００９６】
なお、利用者がヘッドアップディスプレイを装着する場合には、携帯端末ＭＴ１〜ＭＴｎにおいて再生された運動コンテンツの映像データ及び文字データを、携帯端末からヘッドアップディスプレイに伝送して表示させることが可能である。
【００９７】
その他、利用者端末及び管理装置の構成、運動支援制御手順とその内容、運動コンテンツの種類と構成、出欠情報を表す情報の内容とその表示タイミング等についても、この発明の要旨を逸脱しない範囲で種々変形して実施できる。
【００９８】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００９９】
【図１】この発明に係わる運動支援システムの第１の実施形態を示す概略構成図。
【図２】図１に示した運動支援システムにおける管理装置の機能構成を示すブロック図。
【図３】図１に示した運動支援システムにおける利用者端末の機能構成を示すブロック図。
【図４】図１に示した運動支援システムにおける管理装置及び利用者端末の制御手順と制御内容の前半部分を示すフローチャート。
【図５】図１に示した運動支援システムにおける管理装置及び利用者端末の制御手順と制御内容の後半部分を示すフローチャート。
【図６】この発明に係わる運動支援システムの第２の実施形態を示す概略構成図。
【図７】図６に示した運動支援システムにおける携帯端末の機能構成を示すブロック図。
【図８】図７に示した携帯端末の記憶部に記憶されるプログラムを示す図。
【図９】図６に示した運動支援システムにおける管理装置、携帯端末及びメディアプレーヤの制御手順と制御内容の前半部分を示すフローチャート。
【図１０】図６に示した運動支援システムにおける管理装置、携帯端末及びメディアプレーヤの制御手順と制御内容の後半部分を示すフローチャート。
【符号の説明】
【０１００】
ＵＴ１〜ＵＴｎ…利用者端末、ＣＳ…管理装置、ＮＷ…通信ネットワーク、ＭＴ１〜ＭＴｎ…携帯端末、ＭＰ１〜ＭＰｎ…メディアプレーヤ、ＤＫ１〜ＤＫｎ…記録媒体、ＢＳ１〜ＢＳｍ…基地局、１１…管理装置のＣＰＵ、１２…管理装置のバス、１３…管理装置のプログラムメモリ、１３ａ…個人データ設定制御プログラム、１３ｂ…スケジュール管理プログラム、１３ｃ…出席情報管理プログラム、１３ｄ…配信制御プログラム、１３ｅ…会話通信中継制御プログラム、１４…管理装置のデータベース、１４ａ…個人データ記憶エリア、１４ｂ…スケジュールデータ記憶エリア、１４ｃ…運動コンテンツ記憶エリア、１５…通信インタフェース、２１…利用者端末のＣＰＵ、２２…利用者端末のバス、２３…利用者端末のプログラムメモリ、２３ａ…個人データ設定制御プログラム、２３ｂ…会話通信制御プログラム、２３ｃ…出席情報提示制御プログラム、２３ｄ…運動コンテンツ提示制御プログラム、２４…利用者端末のデータメモリ、２４ａ…運動コンテンツ記憶エリア、２５…利用者端末の通信インタフェース、２６…カメラインタフェース、２７…表示インタフェース、２８…音声入出力インタフェース、２９…入力インタフェース、３０…カメラ、３１…ディスプレイ、３２…スピーカ、３３…マイクロホン、３４…入力デバイス、５１…移動通信用アンテナ、５２…通信回路、５３…簡易通信用アンテナ、５４…簡易通信回路、５５…制御部、５６…音声入出力インタフェース、５７…内蔵スピーカ、５８…内蔵マイクロホン、５９…記憶部、５９ａ…個人データ設定制御プログラム、５９ｂ…会話通信制御プログラム、５９ｃ…出席情報提示制御プログラム、５９ｄ…運動コンテンツ起動制御プログラム、６０…携帯端末の入出力インタフェース、６１…携帯端末の入力部、６２…携帯端末の表示部、６３…ヘッドホンユニット。
【図１】
2006323467.tif 000003
【図２】
2006323467.tif 000004
【図３】
2006323467.tif 000005
【図４】
2006323467.tif 000006
【図５】
2006323467.tif 000007
【図６】
2006323467.tif 000008
【図７】
2006323467.tif 000009
【図８】
2006323467.tif 000010
【図９】
2006323467.tif 000011
【図１０】
2006323467.tif 000012